(57)【要約】      （修正有）【課題】両脇の下に手を入れて少し持ち上げると立ちあがれる車椅子を使用する被介護者専用の介護リフトを提供する。【解決手段】アーム角管８先端の滑車を経て下るワイヤー２は被介護者を吊り下げる、そのワイヤーはアーム角管内を通過し、もう−方の滑車を経て短尺パイプ７の内径を通り各金属の重しの内径を通過し、アーム角管の穴を下り途中で、吊り輪を取り付け下端では床近くで足踏みペダルをつける、長尺パイプ内の各重し一つ一つには長尺パイプの穴に突き刺さるバルブ６のネジ先が各重しの溝に突き刺さり重しを長尺パイプ内で浮いた状態に止めている、各バルブを回す事により重しは長尺パイプ内を落下し重し止め金物まで落下し、重し止め金物は重しの重みだけ２本のワイヤーロープを引き下げ、そのロープと繋がる被介護者と足踏みペダルを引き上げる。【選択図】図１
2010284485.tif 000002
【特許請求の範囲】
【請求項１】
便所等の壁柱に当て沿わせるように長尺角管を当て、その上端と下端をそれぞれ天井と床にボルトで固定し、その長尺角管に長尺パイプを垂直にあてがい、長尺パイプの上部分中間部分と下部分には３本連結金物が長尺パイプに半円部分溶接されており、壁柱と長尺角管にはネジ止めされ、壁柱と長尺角管と長尺パイプの３本は強固に連結されている、長尺パイプは下端が床から４０ｃｍ前後浮いておりパイプ内部品の取替えができ上端の内径には複数個のベアリングが嵌め込まれ、天井から１５ｃｍ前後下になる、そのベアリングの内径には２本のワイヤーロープが通過できる内径を有する短尺パイプの半分の長さが嵌め込まれ、残る上半分は１ｃｍを残し内径の幅で切り込み削除され２枚の板を立てたように加工されており、開放された両端に滑車を有する不当辺アーム角管の先端は水平に円弧を描きもう一端は支点として短尺パイプ上の２枚の板に挟まれ、短尺パイプの内径心に位置し連結Ｌ金物を介して、垂直で回転自在な短尺パイプと水平なアーム角管は溶接やボルト等で強固に連結され、被介護者を吊り下げるアーム角管先端の滑車から下げられるロープはアーム角管の回転中心元の滑車から吊り下げられ短尺パイプ穴を通るロープと１００対ゼロの天秤となり、長尺パイプの上端でベアリングにより回転する短尺パイプに取り付けた不当辺アーム角管先端下の被介護者が描く円弧の歩行は長尺パイプ内で吊り下げられる重しの抵抗を受けない。
【請求項２】
長尺パイプ内でワイヤーロープの最下端には重し受け止め金物があり、その金物からは２本のワイヤーロープが各重しの内径を通過し短尺パイプの内径を通り、短尺パイプ上半分で２枚の板に挟まれた位置の滑車にからみ、その滑車の上辺で２本のワイヤーロープは別れ１本はその滑車をそのまま下にアーム角管に空けられた穴を通り下がり長尺パイプ外径の近くを沿い下がりながら吊り輪と下端には足踏みペダルを付けているもう１本は不当辺アーム角管ないを通過しアーム先端の滑車にからみ下り被介護者を吊り下げる、重し受け止め金物は吊り輪と足踏みペダルに対しては１対１の天秤でありアーム角管の先端の滑車から吊り下げられる被介護者には１００対ゼロの天秤となり今仮に重し受け止め金物に４０ｋｇの重さが加重された場合、不当辺アーム角管両端の滑車を経てロープで繋がる被介護者と長尺パイプ近くから下がる吊り輪と足踏みペダルは４０ｋｇで吊り上げられ、介護者が吊り輪にぶら下がりながら足踏みペダルに体重を３０ｋｇ加重すると被介護者は１０ｋｇで吊り上げられた状態になり、介護者が吊り輪と足踏みペダルを自在に操る事により被介護者は便器の周りで動きが自在となる。
【請求項３】
垂直な長尺パイプの横に複数箇所の横穴があけられており、その横穴の径と同じ外径寸法を先部分に持つボルトでその先部分が長尺パイプの横穴を突き刺さる状態でその最先端は少し丸みをなしとがっており中程は、その横穴より太い外径のネジで、又横穴の径と同じ外径となり端にはバルブが取り付けてある、又このバルブの中程がネジのボルトには外径が丸状のナットが付いており、そのナットの一端は開放されており長尺パイプに溶接されている、そのナットのもう一端の内径にはボルトが貫通しバルブが付けられている、バルブを右回転させるとその先端のとがった先は長尺パイプの横穴を進入したり後退したりし、長尺パイプ内の重しの外周に連続して彫られた溝の谷間に突き刺すとか抜きさるとかして、重しを長尺パイプないに留めたり、落としたりして介護操作する。
【請求項４】
人は初期の段階では杖や手摺等で体重を支え５ｋｇ前後以上の体重を支えられなくなると安全上車椅子を使用する事が多くなり、介護者が各被介護者の両脇の下に手を入れて、持ち上げると被介護者が立てる力はさまざまで、老人ホーム等の施設においてその各被介護者の特徴を覚えておくのは経験を必要する、今仮に１０ｋｇの力で引き上げると立てる被介護者に黄色の糸で襟や胸等に名前を縫いこみ２０ｋｇの力で立てる被介護者には赤色の糸で名前を縫い、３０ｋｇの力で立てる被介護者には緑色の糸で名前を縫い、４０ｋｇの力で立てる被介護者には黒色の糸で名前を縫いこんだとしたら新しい介護者でも車椅子の被介護者の介護方法を判断しやすく、今仮に長尺パイプ内の各重しの重さをそれぞれ１０ｋｇと仮定しその各重しに対応するバルブの色を下から黄色、赤色、緑色、黒色とし、車椅子の被介護者が立つ事に必要な吊り上げる力を３０ｋｇと仮定した場合、排便を希望する被介護者を便器の前まで車椅子を移動させ不当辺アーム角管の先端から下げられたワイヤーロープ先端の吊り下げ用具を取り付ける、そのワイヤーロープは垂直な長尺パイプ内のロープ最下端に重し止め金物が取り付けてあり重し止め金物からは２本のワイヤーロープが上に伸びて各重しと短尺パイプを通過し、１本はアーム角管先端の滑者を下り被介護者と繋がり、また１本はアーム角管の回転中心に近い滑車の中心を１８０度回転した位置で長尺パイプの近くを垂直に下がり途中吊り輪と最下端には足踏みペダルがとりつけてある、片手は吊り輪にぶら下がり、片足はペダルに体重をのせ残る片手は長尺パイプの最下端黄色のバルブを左に回しバルブ先端の先を重しに彫られた溝から引き抜くと重しは重し止め金物を付けたワイヤーロープを引き下げ介護者の足や吊り輪を持つ手を重し１０ｋｇの力が引き上げ方向にはたらき、赤色や緑色のバルブも左に回すことにより、被介護者が必要とする３０ｋｇの力が介護者の吊り輪にぶら下がる手と足踏みペダルを踏む足の裏を引き上げようとし、その吊り輪やペダルに乗せた足をゆっくりゆるめて被介護者を吊り上げるワイヤーロープに移し変えて被介護者を吊り上げ、便器まで歩かせてゆっくり吊り輪にぶら下がり便器に座らせ、又は被介護者に一人で座らせ排便をさせ、排便が終わるとゆっくり吊り輪をはなし被介護者を立たせお尻をふき取りパンツとズボンを穿かせ車椅子まで歩かせて座らせ排便介護を終える、被介護者の名前の色とバルブの色を合わせて介護をする方法です。
【発明の詳細な説明】
【技術分野】
【０００１】本発明は介護者が被介護者を車椅子から便所やベッド等に移動する時に被介護者と固定されたパイプ内に介在する金属の重しをワイヤーロープで連結し介護者が金属の重しお上下作動させる事によりワイヤーロープで連動する被介護者を立ったり、歩いたり座らせたりして介護作業をする装置と介護方法。
【背景技術】
【０００２】車椅子の被介護者を介護者が排便介護する時被介護者の両脇下に両手を差し入れ持ち上げながら車椅子から便器の位置に立たせ持ち上げた状態でズボンとパンツを下ろし便器に座らせ使用後同じ方法で持ち上げた状態でトイレットペーパーにて拭きパンツとズボンをはかせ車椅子に座らせ便器の水を流す、又被介護者の体重が介護者の体重よりはるかに重い時は一人の被介護者に対して二人とか三人の介護者を必要とする、日本は被介護者の体重が重くても軽くても一人当たりの介護費用に変わりがなく経営採算上において手間のかかる被介護者は老人ホーム等の順番待ちでは長くかかりやすい。【０００３】特開２００８−１１０１８６Λでは装置の設置に大掛かりなリフオームを必要とし従来の介護リフトでは廊下や便所等の狭い場所での設置が困難で素早い排便介護が困難でした。
【発明の開示】
【発明が解決しようとする課題】
【０００４】以上に述べた従来の介護リフトでは廊下や便所等狭い場所での設置が困難であり従来の吊り下げリフトは全体重吊り下げ用リフトですが老人ホーム等では全体重を吊り下げるべき人はきわめて少なく、上半身を少し支え持ち上げると立てる人がほとんどですがそのもつとも必要とする上半身を少し支え持ち上げると立ち上がれる介護リフトを見かけた事がなく素早く排便介護の出来る無電動で安価なリフトが求められながら人力に頼りながら介護活動されてきた。【０００５】本発明は、このような従来の介護リフトが抱えてきた問題を解決しようとするものであり、安価で無電動の介護装置を介護者が長尺パイプ内に介在するワイヤーロープに吊るした重しを上下操作する事によりワイヤーロープと天秤状態で連結する被介護者を上下させ立たせたり、歩かせたり、座らせたりして排便介護等の困難な介護作業を素早く無電動で行う。
【課題を解決するための手段】
【０００６】そして、本発明は上記目的を達性するために便所入り口側の壁柱に当てるようにそわして角管を立ち上げ角管の上を塞ぐように板が溶接されその板を便所の天井にアンカー止めして角管の上部を固定し角管下端には角管と角管内に挿入された内部角管を重なり部分でネジ止めし内部角管の下端では板が溶接されその板は床にアンカー止めし角管の上下は固定される、その角管に押し当てるように長尺パイプをそわしその上部と下部と中程の位置で柱と角管とパイプの３本を止め金具で固定し長尺パイプの下端は便所の床から４０ｃｍ前後浮いており上端内径にはベアリングがはめ込まれておりそのベアリング内で回転する短尺パイプは中心にワイヤーが通る穴があり長さの半分は長尺パイプ内上端でベアリングにより回転自在に固定され上半分前後は長尺パイプの上端より上にはみ出しそのはみ出し部分の外径は長尺パイプの外径より１ミリ小さい短尺パイプのはみ出し部分は長尺パイプ上端から１センチ程を残してワイヤーロープの通る穴の径より間をあけて対象にカマボコの板を２枚立てたように短尺パイプの上半身を削り長尺パイプ上端にベアリングを介して嵌められた短尺パイプ下半分が回転すると短尺パイプ上半分の２枚の板は長尺パイプ上で回転する。【０００７】開放された角管の両端から滑車が少し出るように取り付けられたアーム角管の端が短尺パイプの穴心の位置にあり２枚の板で挟まれた状態で垂直の短尺パイプと水平のアーム角管は金物で強固に固定されている。【０００８】被介護者を吊り下げるワイヤーロープは上に上がりアーム角管先端の滑車を経てアーム角管内を通り対象となるもうー方の滑車を経て短尺パイプの中心穴を下り下がり対象となるもうー方の滑車からは連結する同じワイヤーが短パイプの中心穴を下り長尺パイプ内の金属重しの中心穴を下り長尺パイプ内でワイヤー最下端の重し止め金物に接続され、金属重しが落下すると金属重し重量は重し止め金物にかかりその重さはワイヤーロープを引き下げ対象で繋がる被介護者を同じ重量で吊り上げる【０００９】長尺パイプ内の重しは複数個あり重しの内径はワイヤーロープの通る穴があけられ外径は長尺パイプ内径に接しており、その外径の円周には連続して溝がほられ長尺パイプ内で全ての重しが高い位置で浮いた状態にする為にそれぞれの重しに着色したバルブネジの先が重しの溝に刺さるように入り込み、重しは落下出来なくなり、重しは長尺パイプ内で浮いた状態になり対象となるアーム角管先端下の人体吊り下げ用具は低い位置になる【００１０】長尺パイプ内の重しの重さを１個１０ｋｇと仮定しそれぞれの重しの横に取り付けるバルブを下から順番に黄色バルブ、赤色バルブ、緑色バルブ黒バルブと仮定した【００１１】長尺パイプ内のワイヤーロープ下端の重し止め金物から上に伸びるワイヤーロープは複数個の重しの穴と短尺パイプの穴を２本通りその１本は両端に滑車を固定したアーム角管の中を両端の滑車に絡みながら通過しアーム角管先端から下に下がり人体吊り下げ用具を吊り下げており、他方の１本は短尺パイプ上半分の２枚の板に挟まれた対置にあるアーム角管内の滑車に１８０度絡みながらその滑車の下にあけられた穴を通過し長尺パイプ外径に近い位置で下に下がり途中電車の手摺のような吊り輪があり下端には足踏みペダルがある、ペダルを踏むとか手摺にぶら下がる等してワイヤーロープを下げるとアーム角管先端から下のロープに吊られた人体吊さげ用具も同じ寸法だけ下がる【００１２】バルブを下から黄色、赤色、緑色、黒色と着色し、介護者が被介護者を１０キログラム前後で上半身を支え上げると立てるならその被介護者の着衣に黄色の糸で名前を書くとか黄色のボタンをえりに付ける等してその被介護者に対応する色のバルブを操作して排便介護をする、各バルブに対応する各重しを全て１０ｋｇと仮定した時、２０ｋｇで立てる人は赤色の糸で名前を書き、黄色と赤色のバルブを操作して介護し、３０ｋｇで立てる人は緑色の糸で名前を書き、黄色と赤色と緑色のバルブを操作して介護し、４０ｋｇで立てる人は黒色の糸で名前を書き、黄色と赤色と緑色と黒色のバルブを操作して介護する【００１３】老人ホーム等では１００人近く入居している施設もあり、介護者が被介護者の名前やボタンの色を見て素早く介護方法を判断する、例えば緑色の糸で名前を書いた車椅子の被介護者が排便の意思表示をした時、車椅子を便器前のアーム角管の届く位置まで移動させ、アーム角管先端下の人体吊り下げ用具を車椅子に座る被介護者の位置にし人体吊り下げ用具を被介護者に取り付けた後、長尺パイプ近くから下げられた吊り輪に左手でぶら下がりながら左足でペダルを踏み、なおかつ右手で黄色のバルブを緩め、赤色のバルブを緩め、緑色のバルブを緩めて、３個の重しをずしりと感じとり、バルブを回した右手は緑色の名前を付けた被介護者の手をとり持ち上げるようにジワーッと吊り輪と左足のペダルをゆるめて立たせ、便器まで二歩三歩と歩かせて立たせた状態で両手でズボンとパンツを下げ便器に座らせながら右足でペダルを踏みペダルをほぼ床まで下げて右手で黄色のバルブを右に回すとバルブ先端のネジ先は重しに連続してほられた溝に突きささるように入り黄色のバルブに対応する一番下の重しは長尺パイプの中で浮いた状態でとまり、赤色と緑色の、それぞれのバルブに対応する重しは黄色のバルブ対応の重しにかさなり、パイプ内において３個の重しが黄色のバルブの先端のネジ先だけで長尺パイプ内に浮いた状態になり、被介護者を吊り上げるロープはゆるみ被介護者のお尻は便器に安定し、介護者は排便が終わるまでその場からなれて待つ。【００１４】被介護者の排便が終わると介護者は足踏みペダルに体重をかけて踏み押さえ右手で長尺パイプ最下端の黄色バルブを素早く左に回してバルブ先端のネジ先を重しの溝から引き抜き、被介護者の手をとり、ゆっくりと足踏みペダルにかけた体重をはずし被介護者を立たせ、トイレットペーパーでお尻を拭き、ズボンとパンツを引き上げ車椅子の位置まで歩かせて座らせた後、左手で吊り輪にぶら下がりながら左足で足踏みペダルに体重をかけて押さえこみ、右手で黄色と赤色と緑色のバルブを右に回してそれぞれのバルブに対応する重しを長尺パイプ内に浮かせトイレの水を流して被介護者に取り付けた吊り上げ用具を取り外す。【００１５】アーム角管の先端からワイヤーで吊り下げられる被介護者と、短尺パイプの中心支点からワイヤーで吊り下げられる金属の重しは百対ゼロの天秤となるので短尺パイプの中心を支点とするアーム角管先端から吊り下げられた被介護者の円歩行は金属の重さの抵抗を感じない。【００１６】長尺パイプの下端開口部には蓋がありその蓋をはずすと重しを取り替える時の空間ができる。
【発明の効果】
【００１７】体重の軽い介護者でも体重の重い被介護者を一人で排便介護が出来る様になる。
【発明を実施するための最良の形態】
【００１８】以下、本発明の実施の形態を図１〜図６に基にして説明する。【００１９】図においては、長尺角管４を塞ぐように溶接された板１３を天井１４にアンカー止めし長尺角管４の下端内径に入る短尺角管４Ａと長尺角管４をボルト４Ｃで繋ぎ短尺角管４Ａの下端を塞ぐように板４Ｂが溶接され床１５に板４Ｂがアンカー止めされて長尺角管は上下が固定され便所壁柱５に押し当てられたように立てられる、その長尺角管４に長尺パイプ３を押し当てるように位置し、長尺パイプ３の上部分と下部分と中間部分に溶接された金物１０は壁柱５と長尺角管４を巻き込むようにボルト止めしー体となるように固定し、長尺パイプ３の下端は床１５から４０ｃｍ前後浮いており下端開口部の蓋をはずすと長尺パイプ３内の重しを取り替える事の出来る空間となる【００２０】長尺パイプ３の上端は天井１４より１５ｃｍ前後低く短尺パイプ７の下半分はその外径にベアリング７Ａが２個嵌めこまれ、長尺パイプ３上端の内径に短尺パイプの下半分がベアリングと共に長尺パイプ３の内径に差し込まれ固定された長尺パイプ３に対して短尺パイプ７はベアリング７Ａにより回転自在になり、長尺パイプ３の上端から上にはみ出した短尺パイプ７の上半分はパイプ３の上端から１ｃｍ程をのこしてカマボコ板を２枚、間隔８ｔをあけて立てたような状態に加工され短尺パイプの下半分は径の中心にワイヤーロープ２本の通る穴７Ｂがあいている【００２１】図４に示すように短尺パイプ７の上半分は２枚の板が間隔８ｔをあけて立てたように加工され、開口する両端に滑車１１と１１Ａを持つ不等辺アーム角管８の横幅は８ｔでアーム角管の端が短尺パイプの穴の中心に位置し２枚の板の間に挟まれた状態で金物９とアーム角管８と短尺パイプ上半分にあけられたボルト穴９Ａ、９Ｂでボルト止めする事により回転自在で垂直の短尺パイプ７の上半分と水平なアーム角管８を強固に結合させ、短尺パイプ７の回転により不当辺角管８は短尺パイプの穴７Ｂを支点にしてアーム角管８の先端は円弧をえがくように水平に動く。【００２２】被介護者を吊り下げるワイヤーロープ１はアーム角管先端の滑車１１を経てアーム角管内を通りアーム角管で支点側の滑車１１Ａを経て短尺パイプ穴７Ｂを通り重し、１２Ｄ、１２Ｃ１２Ｂ、１２Ａの中心穴１２Ｅを通過し重し止め金物に接続される、ワイヤーロープ２は重し止め金物に接続され、重し１２Ａ、１２Ｂ、１２Ｃ、１２Ｄの中心穴１２Ｅを通り短尺パイプ７の中心穴７Ｂを通過し、その穴と外周で交わる滑車１１Ａを１８０度回り込み、そのまま下方向にアーム角管穴金物８Ａを通過し長尺パイプ３の近くを下がり途中人がワイヤーロープ２にぶら下がれる高さの位置に手摺の輪がロープ２に取り付けられワイヤーロープ２の下端では床に近い位置で、ロープ２を踏み下げるペダル２Ｂが取り付けてある【００２３】長尺パイプ３内を通過する２本のワイヤーロープは長尺パイプ上端部分に嵌めこまれた回転自在な短尺パイプ穴７Ｂと複数個の重し穴１２Ｅをそれぞれに通過し重し止め金物１４に２本共接続され、重し止め金物１４が５０ｃｍ下がると、ワイヤーロープ１に吊り下げられた被介護者とワイヤーロープ２の下端に取り付けた足踏みペダル２Ｂは５０ｃｍ上がり、金属の重し４０ｋｇが重し止め金物１４に加重すると２本のワイヤーロープは５０ｋｇの力で引き下げられ、ワイヤーロープ１に吊り下げられた被介護者とワイヤーロープ２の下端に取り付けた足踏みペダル２Ｂは４０ｋｇの力で引き上げられる【００２４】垂直な長尺パイプ３に対して横方向に穴が複数個ありそれぞれの穴にバルブ付きのネジが突き刺さるような位置にあり、仮に一番下のバルブ６Ａを黄色とし２番目のバルブＢ６を赤色とし３番目のバルブ６Ｃを緑色とし４番目のバルブ６Ｄを黒色とし、それぞれのバルブネジ位置には下から、１２Ａ、１２Ｂ、１２Ｃ、１２Ｄの重しが長尺パイプ３内に配置され、それぞれの重しの外周に連続してほられた溝に対応するそれぞれのバルブ先端のネジ先が突き刺さるような状態で長尺パイプ３内に重しは浮いている。【００２５】不当辺アーム角管８の先端の滑車１１から下がるワイヤーロープ１で吊り下げられる被介護者と、短尺パイプ７の中心支点からワイヤーロープで吊り下げられる金属の重しは百対ゼロの天秤になるので、短尺パイプ７の中心を支点とするアーム角管８の先端から吊り下げられた被介護者の円歩行は金属の重さの抵抗をかんじない。
【図面の簡単な説明】
【００２６】
【図１】装置全体の立体図と、補強留め金物の透視図と、足踏みペダルの透視図です
【図２】アーム角管と長尺パイプと長尺角管と壁柱を上から見た正面図です
【図３】装置の上半分の断面図とワイヤーロープ誘導穴部品の透視図です
【図４】不当辺アーム角管と短尺パイプとその連結金物の透視図と断面図です
【図５】長尺パイプの上端部分と長尺角管の下端と壁柱の下端の透視図です
【図６】金属の重しと重し止め金物とナツト付きバルブの断面図です
【符号の説明】
【００２７】１      アーム角管の先端から下がるワイヤーロープ２      アーム角管支点元の滑車から下がるワイヤーロープ２Ａ    支点元の滑車から下がるワイヤーロープに取り付けた吊り輪２Ｂ    足踏みペダル３      長尺パイプ４      長尺角管４Ａ    長尺角管内に重なるように接する短尺角官４Ｂ    短尺各官下端に溶接され床にアンカー止めされる板材４Ｃ    短尺各官と長尺各官をつなぐボルト５      壁柱６Ａ    黄色バルブ６Ｂ    赤色バルブ６Ｃ    緑色バルブ６Ｄ    黒色バルブ６      短尺パイプ７Ａ    短尺パイプの下半分の外径に嵌めこんだベアリング７Ｂ    短尺パイプの内径で２本のワイヤーロープの通過穴８      開口された両端に滑車を取り付けた不当辺角管８Ａ    不当辺アーム角管の下でワイヤーロープ２の通る穴に取り付けた金物８ｔ    不当辺アーム角管の幅と短尺パイプの上半分に立てられるよーに加工された２枚        の板の間隔寸法９      水平に位置する不当辺アーム角管が垂直な短尺パイプ上部分の２板の間に挟み込        まれる直角箇所をボルト又は溶接等でつなぎ固定する直角金物９Ａ    直角金物と不当辺アーム角管を結合するボルト穴９Ｂ    直角金物と不当辺アーム角管と短尺パイプの上半分を結合するボルト穴９ＡＡ  ボルト１０    長尺パイプと長尺角管と壁柱の３本を束ねるように固定する固定金物１０Ａ  取り付けボルト穴１０Ｂ  長尺パイプと固定金物を接合する溶接箇所１１    滑車１２Ａ  最下端の金属の重し１２Ｂ  下から２番目の金属の重し１２Ｃ  下から３番目の金属の重し１２Ｄ  下から４番目の金属の重し１２Ｅ  ２本のワイヤーロープが通過するそれぞれの重しの内径穴１３    長尺角管の上端を塞ぐように溶接された板１４    重し受け金物１４Ａ  長尺パイプ内２本のワイヤーロープ最下端をまとめるサツマ１５    バルブのボルト部分を保持する長尺パイプに溶接されたナツト
【図１】
2010284485.tif 000003
【図２】
2010284485.tif 000004
【図３】
2010284485.tif 000005
【図４】
2010284485.tif 000006
【図５】
2010284485.tif 000007
【図６】
2010284485.tif 000008